(57)【要約】【課題】シートバックのリクライニング（後傾）時に乗員の頭部のヘッドレストに対する位置ずれ及び乗員の衣服の捲れ上がりを極力解消することができる車両用シート構造を得る。【解決手段】シートバック１４の側部下側とシートクッション１２の後端部とは連結リンク１８によって相対回転可能に連結されている。また、シートクッション１２と車体フロア２４とは平行リンク機構２６によって相対回転可能に連結されている。シートバック１４を後傾させると、連結リンク１８によってシートバック１４の後端部が上方かつ後方へ変位される。従って、トルソー角の中心位置がＰ１からＰ２へと変位してシートバック１４の傾倒中心Ｑへと近づき、車両前後方向の離間距離がＤ１からＤ２へと縮まる。従って、ヘッドレスト１６に対する頭部の位置ずれがなくなり、衣服の捲れ上がりも解消される。【選択図】    図１
2006160217.tif 000002
【特許請求の範囲】
【請求項１】
乗員が着座するシートクッションと、このシートクッションの後端部に配置されかつリクライニング機構によって傾倒可能に支持されたシートバックと、このシートバックの上端部に設けられて乗員の頭部を支持するヘッドレストと、を含んで構成された車両用シート構造であって、
シートクッションとシートバックとを相対回転可能に連結し、シートバックの後傾時にシートバックの傾倒角度に応じてシートクッションの後部を上方かつ後方へ変位させる連結手段を備えている、
ことを特徴とする車両用シート構造。
【請求項２】
車体フロアとシートクッションとを相対回転可能に連結し、シートバックの後傾時に前記連結手段の動きに連動してシートクッションを車体フロアに対して略平行にリフトアップさせるリフトアップ手段を備えている、
ことを特徴とする請求項１記載の車両用シート構造。
【発明の詳細な説明】
【技術分野】
【０００１】
本発明は、乗員が着座するシートクッションと、このシートクッションの後端部にリクライニング機構によって傾倒可能に支持されたシートバックと、このシートバックの上端部に設けられて乗員の頭部を支持するヘッドレストと、を含んで構成された車両用シート構造に関する。
【背景技術】
【０００２】
以下、図２を用いて、従来の車両用シート１００の問題点について説明する。
【０００３】
図２に二点鎖線で示されるように、車両用シート１００は、乗員が着座するシートクッション１０２と、このシートクッション１０２の後端部に隣接して配置されかつ図示しないリクライニング機構によって傾倒可能に支持されたシートバック１０４と、このシートバック１０４の上端部に上下調節可能に設けられて乗員の頭部を支持するヘッドレスト１０６と、を備えている。
【特許文献１】特開２００３‐１２７７２８号公報
【特許文献２】特開２００１‐２７０３５１号公報
【発明の開示】
【発明が解決しようとする課題】
【０００４】
ここで、上記従来の車両用シート１００による場合、乗員のトルソー角（垂直線に対する胴体の中心線の傾斜角）の中心Ｐ’とシートバック１０４の傾倒中心Ｑ’とが車両前後方向に距離Ａだけずれている（オフセットしている）ため、図２に実線で示されるように、車両用シート１００のシートバック１０４をリクライニング（後傾）させた際に、乗員の頭部の位置がヘッドレスト１０６に対して距離Ｂだけシートクッション１０２側へ相対的にずれ、ヘッドレスト１０６の頭部支持機能が充分には得られないという問題がある。
【０００５】
また、リクライニング（後傾）時に乗員の上体がシートバック１０４の前面上を矢印Ｃ方向へ擦れていくため、乗員の衣服が捲れ上がるという問題もある。
【０００６】
本発明は上記事実を考慮し、シートバックのリクライニング（後傾）時に乗員の頭部のヘッドレストに対する位置ずれ及び乗員の衣服の捲れ上がりを極力解消することができる車両用シート構造を得ることが目的である。
【課題を解決するための手段】
【０００７】
請求項１記載の本発明に係る車両用シート構造は、乗員が着座するシートクッションと、このシートクッションの後端部に配置されかつリクライニング機構によって傾倒可能に支持されたシートバックと、このシートバックの上端部に設けられて乗員の頭部を支持するヘッドレストと、を含んで構成された車両用シート構造であって、シートクッションとシートバックとを相対回転可能に連結し、シートバックの後傾時にシートバックの傾倒角度に応じてシートクッションの後部を上方かつ後方へ変位させる連結手段を備えている、ことを特徴としている。
【０００８】
請求項２記載の本発明に係る車両用シート構造は、請求項１記載の発明において、車体フロアとシートクッションとを相対回転可能に連結し、シートバックの後傾時に前記連結手段の動きに連動してシートクッションを車体フロアに対して略平行にリフトアップさせるリフトアップ手段を備えている、ことを特徴としている。
【０００９】
請求項１記載の本発明によれば、シートバックをリクライニング（後傾）させると、シートバックの傾倒角度に応じてシートクッションの後部が連結手段によって上方かつ後方へと変位される。このため、乗員のトルソー角の中心位置（ヒップポイント）がシートバックの傾倒中心へ近づき（引き寄せられ）、両者間の車両前後方向に対する離間距離が縮まる。その結果、シートバックをリクライニング（後傾）させた際に、ヘッドレストと乗員の頭部の位置とのずれが減少又は解消されると共に、乗員の背中がシートバックの前面上を摺動して乗員の衣服が捲れ上がるといった現象も抑制又は解消される。
【００１０】
請求項２記載の本発明によれば、車体フロアとシートクッションとを相対回転可能に連結するリフトアップ手段を備えているので、シートバックが傾倒されて連結手段がシートクッションを上方かつ後方へ引き込むための動作をすると、その動きに連動してシートクッションが車体フロアに対して略平行にリフトアップされる。
【発明の効果】
【００１１】
以上説明したように、請求項１記載の本発明に係る車両用シート構造は、乗員が着座するシートクッションと、このシートクッションの後端部に配置されかつリクライニング機構によって傾倒可能に支持されたシートバックと、このシートバックの上端部に設けられて乗員の頭部を支持するヘッドレストと、を含んで構成された車両用シート構造において、シートクッションとシートバックとを相対回転可能に連結し、シートバックの後傾時にシートバックの傾倒角度に応じてシートクッションの後部を上方かつ後方へ変位させる連結手段を備えているので、乗員のトルソー角の中心位置とシートバックの傾倒中心との車両前後方向に対する離間距離を縮めることができ、その結果、シートバックのリクライニング（後傾）時に乗員の頭部のヘッドレストに対する位置ずれ及び乗員の衣服の捲れ上がりを極力解消することができるという優れた効果を有する。
【００１２】
請求項２記載の車両用シート構造は、請求項１記載の発明において、車体フロアとシートクッションとを相対回転可能に連結し、シートバックの後傾時に連結手段の動きに連動してシートクッションを車体フロアに対して略平行にリフトアップさせるリフトアップ手段を備えているので、シートバックを後傾させても、大腿部のサポート性を良好に維持することができるという優れた効果を有する。
【発明を実施するための最良の形態】
【００１３】
以下、図１を用いて、本発明に係る車両用シート構造の一実施形態について説明する。なお、この図に示される矢印ＦＲは車両前方側を示しており、矢印ＵＰは車両上方側を示している。
【００１４】
図１に示されるように、車両用シート１０は、乗員が着座するシートクッション１２と、このシートクッション１２の後端部に隣接して配置されかつ図示しないリクライニング機構によって傾倒可能に支持されたシートバック１４と、このシートバック１４の上端部に上下調節可能に設けられて乗員の頭部を支持するヘッドレスト１６と、を含んで構成されている。
【００１５】
なお、シートバック１４の下端部に付記された傾倒中心Ｑの位置には図示しないリクライニングロッドが車両幅方向を軸方向として配置されており、リクライニング時にはシートバック１４はリクライニングロッドを回転中心軸として回転するようになっている。
【００１６】
上記シートバック１４の側部下側とシートクッション１２の後端部とは、側面視で湾曲した形状に形成された連結手段としての連結リンク１８によって相対回転可能に連結されている。すなわち、連結リンク１８の後部１８Ａは、シートバック１４の側部下側にボルト・ナット等の固定具２０によって上下二点で固定されている。また、連結リンク１８の前端部１８Ｂは、シートクッション１２の後端部の側面に位置されてヒンジピン２２によって相対回転可能に連結されている。
【００１７】
なお、連結リンク１８の形状は必ずしも湾曲形状である必要はなく、車両用シートの形状との関係で、「へ」の字を上下逆向きにした形状や「Ｌ」の字を左右逆向きにした形状等に適宜変更される。
【００１８】
また、上記シートクッション１２の側部と車体フロア２４とは、リフトアップ手段としての平行リンク機構２６によって相対回転可能に連結されている。平行リンク機構２６は、フロントリンク２８とリヤリンク３０とによって構成されている。フロントリンク２８の下端部は車体フロア２４に固定されたフロントブラケット３２にロアヒンジピン３４によって相対回転可能に連結されており、又フロントリンク２８の上端部はシートクッション１２の側部前側にアッパヒンジピン３６によって相対回転可能に連結されている。同様に、リヤリンク３０の下端部は車体フロア２４に固定されたリヤブラケット３８にロアヒンジピン４０によって相対回転可能に連結されており、又リヤリンク３０の上端部はシートクッション１２の側部後側にアッパヒンジピン４２によって相対回転可能に連結されている。
【００１９】
（本実施形態の作用・効果）
次に、本実施形態の作用並びに効果について説明する。
【００２０】
図１に二点鎖線で示される状態がリクライニング前の車両用シート１０の状態である。この状態から、シートバック１４を例えば実線図示位置までリクライニング（後傾）させると、シートバック１４の傾倒角度に応じて、シートクッション１２の後端部が連結リンク１８によって上方かつ後方（矢印Ｒ方向）へと変位される。このため、乗員のトルソー角の中心位置（ヒップポイント）がＰ１がＰ２へと変位し、車両前後方向に観た場合に、シートバック１４の傾倒中心Ｑへ近づく（引き寄せられる）。すなわち、トルソー角の中心位置Ｐとシートバック１４の傾倒中心Ｑとの車両前後方向に対する離間距離がＤ１からＤ２へと縮まる。その結果、シートバック１４をリクライニング（後傾）させた際に、ヘッドレスト１６と乗員の頭部の位置とのずれが減少又は解消されると共に、乗員の背中がシートバック１４の前面上を摺動して乗員の衣服が捲れ上がるといった現象も抑制又は解消される。
【００２１】
以上より、本実施形態に係る車両用シート構造によれば、シートバック１４のリクライニング（後傾）時に乗員の頭部のヘッドレスト１６に対する位置ずれ及び乗員の衣服の捲れ上がりを極力解消することができる。その結果、本実施形態によれば、リクライニングの有無に拘わらずヘッドレスト１６による乗員の頭部のサポート性能を良好に維持することができると共に、衣服の捲れ上がりに気をつける必要がなくなりリクライニング性を向上させることができる。
【００２２】
また、本実施形態に係る車両用シート構造では、車体フロア２４とシートクッション１２とを等長リンクであるフロントリンク２８及びリヤリンク３０から成る平行リンク機構２６を用いて相対回転可能に連結したので、シートバック１４が後傾されて連結リンク１８がシートクッション１２の後端部を上方かつ後方（矢印Ｒ方向）へ引き込むための動作をすると、その動きに連動してシートクッション１２が車体フロア２４に対して略平行にリフトアップされる。その結果、本実施形態によれば、シートバック１４を後傾させても、乗員の大腿部のサポート性を良好に維持することができる。
【００２３】
〔実施形態の補足説明〕
なお、上述した本実施形態では、シートクッション１２を略平行にリフトアップさせるべく平行リンク機構２６を用いたが、請求項１記載の本発明には、平行リンク機構２６を採用しておらず、シートバック１４の後傾時にシートクッション１２が車体フロア２４に対して略平行にならない構成（即ち、請求項２に係る本発明におけるリフトアップ手段を備えていない構成）も含まれる。
【００２４】
例えば、シートバック１４を後傾させると、連結リンク１８によってシートクッション１２の後端部は上方かつ後方へ引き込まれる結果、本発明の作用・効果（乗員の頭部の位置ずれ防止及び衣服の捲れ上がり防止）は得られるが、その際にシートクッション１２は前傾したり後傾したりする構成であってもよい。
【００２５】
また、上述した本実施形態では、シートクッション１２を略平行にリフトアップさせるリフトアップ手段として平行リンク機構２６を用いたが、請求項２記載の本発明には、平行リンクになっていないがシートクッション１２を略平行にリフトアップさせる構成も含まれる。
【００２６】
例えば、上述した本実施形態では、シートクッション１２の安定性の観点からフロントリンク２８とリヤリンク３０を用いたが、連結リンク１８が充分な剛性を備えていれば、リヤリンク３０を省略してもよいし、逆にフロントリンク２８を省略してもよい。さらには、フロントリンク２８及びリヤリンク３０の替わりに、両者の中間位置付近に左右一対のセンタリンクを設ける構成を採ってもよい。
【００２７】
さらに、上述した本実施形態では、リフトアップ手段として平行リンク機構２６を用いたが、これに限らず、リンク以外の構成を用いてリフトアップ手段を構成してもよい。
【００２８】
例えば、リクライニング（後傾）時のシートクッションが描く軌道を特定し、その軌道に沿った断面コ字状のガイドレールを車体フロア上に敷設しておき、シートクッション側には当該ガイドレールのガイド溝に沿って転動するローラを配設しておくようにしてもよい。
【図面の簡単な説明】
【００２９】
【図１】本実施形態に係る車両用シート構造の全体構成を示す側面図である。
【図２】従来例に係る車両用シート構造の全体構成を示す図１に対応する側面図である。
【符号の説明】
【００３０】
１０    車両用シート
１２    シートクッション
１４    シートバック
１６    ヘッドレスト
１８    連結リンク（連結手段）
２４    車体フロア
２６    平行リンク機構（リフトアップ手段）
【図１】
2006160217.tif 000003
【図２】
2006160217.tif 000004